(57)【要約】【課題】被験者の腹部の形状に影響されることなく、内臓脂肪量を精度良く測定することのできる体脂肪測定装置および測定ユニットを提供すること。【解決手段】腹部を挟む位置にある２つの部位にそれぞれ配置するための少なくとも１対の第１電極と、一方の側腹部から臍部を経由して他方の側腹部に達するように、かつ、腹部の表面に沿うように、板状体を丸めた形状を有する帯状部材１９とを備える。帯状部材１９の内面には、１対の第２電極および１対の第３電極が配置される。第１電極を介して電流を印加する場合に第１腹部電極のうちの所定の１対の電極間における第１の電位差が検出され、第３電極を介して電流を印加する場合に第２電極間における第２の電位差が検出される。検出された２種類の電位差と被験者の体格情報とに基づいて、被験者の内臓脂肪量が算出される。【選択図】図５
2007130072.tif 000002
【特許請求の範囲】
【請求項１】
被験者の腹部より離れた１対の異なる部位であって、かつ、前記腹部を挟む位置にある第１の部位および第２の部位にそれぞれ配置するための少なくとも１対の第１電極と、
前記腹部のうち一方の側腹部から臍部を経由して他方の側腹部に達するように、かつ、前記腹部の表面に沿うように、板状体を丸めた形状を有する帯状部材と、
前記帯状部材の内面に配置される腹部電極群とを備え、
前記腹部電極群は、１対の第２電極および１対の第３電極を含み、
前記第１電極および前記第３電極のいずれか１対を介して、前記被験者に電流を印加するための印加手段と、
前記第１電極を介して電流を印加する第１の場合および前記第３電極を介して電流を印加する第２の場合のそれぞれにおいて、２種類の電位差を検出するための検出手段とをさらに備え、
前記検出手段は、前記第１の場合に、前記腹部電極群のうちの所定の１対の電極間における第１の電位差を検出し、前記第２の場合には、前記第２電極間における第２の電位差を検出し、
検出された前記第１の電位差および前記第２の電位差と、前記被験者の体格情報とに基づいて、前記被験者の内臓脂肪量を算出するための内臓脂肪量算出手段をさらに備える、体脂肪測定装置。
【請求項２】
前記第２電極および前記第３電極は、前記帯状部材の巻き付け方向と略直交する方向を整列方向として配置される、請求項１に記載の体脂肪測定装置。
【請求項３】
前記帯状部材は、樹脂により形成される、請求項１に記載の体脂肪測定装置。
【請求項４】
前記帯状部材は、前記内面の一部が平面状に形成された部分を有し、
前記腹部電極群は、前記内面の一部が平面状に形成された前記部分に設けられる、請求項１に記載の体脂肪測定装置。
【請求項５】
前記帯状部材は、前記内面の一部に対向する外面の一部が平面状に形成されており、
前記印加手段および前記検出手段が収容された筐体をさらに備え、
前記筐体は、前記外面の一部が平面状に形成された部分に設けられる、請求項４に記載の体脂肪測定装置。
【請求項６】
前記帯状部材の外面に設けられた、前記印加手段および前記検出手段を収容するための筐体と、
算出された前記内臓脂肪量を表示するための表示手段とをさらに備え、
前記表示手段は、前記筐体に設けられる、請求項１に記載の体脂肪測定装置。
【請求項７】
前記帯状部材は、
装着された際に、腹部の形状を矯正するための矯正部材と、
前記矯正部材を前記被験者の前記腹部に固定するためのカバー体とを含む、請求項１に記載の体脂肪測定装置。
【請求項８】
前記第３電極は、前記整列方向において前記第２電極を挟む位置にそれぞれ配置される、請求項２に記載の体脂肪測定装置。
【請求項９】
前記所定の１対の電極は、前記第２電極である、請求項２に記載の体脂肪測定装置。
【請求項１０】
前記所定の１対の電極は、腹部電極群のうちの、前記第２電極からなる対以外の対の電極である、請求項２に記載の体脂肪測定装置。
【請求項１１】
前記第３電極は、前記整列方向において前記第２電極を挟む位置にそれぞれ配置され、
前記所定の１対の電極は、前記第３電極である、請求項１０に記載の体脂肪測定装置。
【請求項１２】
前記第１の電位差および前記第２の電位差のそれぞれに基づいて、２種類のインピーダンスを算出するためのインピーダンス算出手段をさらに備え、
前記内臓脂肪量算出手段は、算出された前記２種類のインピーダンスと、前記被験者の前記体格情報とに基づいて、前記内臓脂肪量を算出する、請求項１に記載の体脂肪測定装置。
【請求項１３】
前記内臓脂肪量算出手段は、前記２種類のインピーダンスと内臓脂肪量との関係の所定の相関式によって、前記内臓脂肪量を算出する、請求項１２に記載の体脂肪測定装置。
【請求項１４】
検出された前記第２の電位差と、前記被験者の前記体格情報とに基づいて、前記被験者の皮下脂肪量を算出するための皮下脂肪量算出手段をさらに備える、請求項１に記載の体脂肪測定装置。
【請求項１５】
前記体格情報は、前記被験者の腹部周長、腹部横幅、腹部厚み、身長および体重のうち少なくとも１つを含む、請求項１に記載の体脂肪測定装置。
【請求項１６】
前記第１の部位および前記第２の部位は、それぞれ、上肢および下肢を含む、請求項１に記載の体脂肪測定装置。
【請求項１７】
内臓脂肪量を算出する演算ユニットに制御されて、被験者に電流を印加した状態で前記被験者の体表面に生じた電位差を測定するための測定ユニットであって、
被験者の腹部より離れた１対の異なる部位であって、かつ、前記腹部を挟む位置にある第１の部位および第２の部位にそれぞれ配置するための少なくとも１対の第１電極と、
前記腹部のうち一方の側腹部から臍部を経由して他方の側腹部に達するように、かつ、前記腹部の表面に沿うように、板状体を丸めた形状を有する帯状部材と、
前記帯状部材の内面に配置される腹部電極群とを備え、
前記腹部電極群は、１対の第２電極および１対の第３電極を含み、
前記演算ユニットからの信号に基づき、前記第１電極および前記第３電極のいずれか１対を介して、前記被験者に電流を印加するための印加手段と、
前記第１電極を介して電流を印加する第１の場合および前記第３電極を介して電流を印加する第２の場合のそれぞれにおいて、２種類の電位差を検出するための検出手段とをさらに備え、
前記検出手段は、前記第１の場合に、前記腹部電極群のうちの所定の１対の電極間における第１の電位差を検出し、前記第２の場合には、前記第２電極間における第２の電位差を検出し、
検出された前記第１の電位差および前記第２の電位差の情報を、前記演算ユニットに送信するための送信手段をさらに備える、測定ユニット。
【発明の詳細な説明】
【技術分野】
【０００１】
本発明は、体脂肪測定装置および測定ユニットに関し、特に、インピーダンス法を用いて内臓脂肪量を測定可能な体脂肪測定装置、および、内臓脂肪量の測定のために用いられる測定ユニットに関する。
【背景技術】
【０００２】
従来より、内臓脂肪量の測定は、Ｘ線ＣＴ（Computed Tomography）による腹部断層画像より実測を行なっている。そのため、Ｘ線ＣＴの設備を保有している医療機関でしか内臓脂肪量の測定ができないという問題点がある。ＭＲＩ（Magnetic Resonance Imaging）においてもＸ線ＣＴと同様の腹部断層画像の撮影は可能であるが、大型の設備が必要であることには変わりがない。
【０００３】
このようなことから、大型の設備を必要とせずに内臓脂肪量を測定するための提案が従来よりなされている。たとえば、特許文献１には、被験者の身体特定化情報と四肢に電極を配置して測定した全身のインピーダンスとに基づいて、内臓脂肪量を算出することが開示されている。特許文献２には、測定者の身体情報（ウエスト長や性別など）と腹部の電圧値とに基づいて、内臓脂肪量を算出することが開示されている。
【０００４】
また、複数の電極の人体への接触を容易にするための発明も存在する。上記特許文献２には、被験者が、複数の電極が予め配置されたベルトを腹部に巻くことで、腹部に電極を接触可能なことが開示されている。また、特許文献３には、複数組の４端子電極を被服内側の所定の箇所に装着しておくことで、人体インピーダンスの測定を容易化すること開示されている。また、特許文献４には、身体の１つの部位（たとえば前腕や下腿）にあてがう当接面を有するハウジングを備え、当接面に１対の測定電流印加電極と１対の電圧測定電極とが配置された生体電気インピーダンス測定装置が開示されている。
【特許文献１】特開平７−７９９３８号公報
【特許文献２】特開２００２−３６９８０６号公報
【特許文献３】特開２０００−１４６５５号公報
【特許文献４】特開２００１−２７６００７号公報
【発明の開示】
【発明が解決しようとする課題】
【０００５】
しかしながら、特許文献１に開示された装置では、四肢に電極を配置して測定した全身のインピーダンスから内臓脂肪量が推定されるものであり、積極的に皮下脂肪量の情報を用いて内臓脂肪量が算出されることについては開示されていない。また、特許文献２に開示された装置では、腹部だけに電流を流すため、皮下脂肪の影響が避けられず、正確に内臓脂肪量を測定できないという問題がある。
【０００６】
また、特許文献３，４に開示された方法では、複数の電極の人体への接触を容易にすることができたとしても、内臓脂肪量の算出方法については開示も示唆もされていない。
【０００７】
さらに、特許文献２に開示されたように、ベルトを被測定体の腹部に巻き付けるだけでは、肥満度の高い被験者であれば腹部の形状が定まらず、内臓脂肪量を精度良く測定できない恐れがある。また、特許文献３に開示された被服は、伸縮自在な被服であるので、測定中に電極間の距離が変化してしまう可能性が高い。
【０００８】
本発明は、上記のような問題を解決するためになされたものであって、その目的は、内臓脂肪量を精度良く測定することのできる体脂肪測定装置および測定ユニットを提供することである。
【０００９】
本発明の他の目的は、被験者の腹部の形状に影響されることなく、内臓脂肪量を精度良く測定することのできる体脂肪測定装置および測定ユニットを提供することである。
【課題を解決するための手段】
【００１０】
この発明のある局面に従う体脂肪測定装置は、被験者の腹部より離れた１対の異なる部位であって、かつ、腹部を挟む位置にある第１の部位および第２の部位にそれぞれ配置するための少なくとも１対の第１電極と、腹部のうち一方の側腹部から臍部を経由して他方の側腹部に達するように、かつ、腹部の表面に沿うように、板状体を丸めた形状を有する帯状部材と、帯状部材の内面に配置される腹部電極群とを備え、腹部電極群は、１対の第２電極および１対の第３電極を含み、第１電極および第３電極のいずれか１対を介して、被験者に電流を印加するための印加手段と、第１電極を介して電流を印加する第１の場合および第３電極を介して電流を印加する第２の場合のそれぞれにおいて、２種類の電位差を検出するための検出手段とをさらに備え、検出手段は、第１の場合に、腹部電極群のうちの所定の１対の電極間における第１の電位差を検出し、第２の場合には、第２電極間における第２の電位差を検出し、検出された第１の電位差および第２の電位差と、被験者の体格情報とに基づいて、被験者の内臓脂肪量を算出するための内臓脂肪量算出手段をさらに備える。
【００１１】
ここで、「腹部」とは、体幹部のうちの胸部を除く部分である。また、「腹部より離れた部位」とは、上腕、前腕、手首、手指からなる上肢と、横隔膜より所定の距離（たとえば略１０ｃｍ）以上離れた胸部と、肩、首および頭部を含む上体と、大腿、下腿、足首、および足指からなる下肢とを含む。「臍部」とは、乳頭線の内側であって、幽門平面と結節平面との間に位置する部位である。「側腹部」とは、乳頭線の外側であって、幽門平面と結節間平面との間に位置する部位である。
【００１２】
また、「内臓脂肪量」とは、内臓脂肪に関する量をいい、たとえば、内臓脂肪重量、内臓脂肪面積および内臓脂肪体積のうち少なくとも１つを含む。
【００１３】
好ましくは、第２電極および第３電極は、帯状部材の巻き付け方向と略直交する方向を整列方向として配置される。
【００１４】
好ましくは、帯状部材は、樹脂により形成される。
好ましくは、帯状部材は、内面の一部が平面状に形成された部分を有し、腹部電極群は、内面の一部が平面状に形成された部分に設けられる。
【００１５】
好ましくは、帯状部材は、内面の一部に対向する外面の一部が平面状に形成されており、印加手段および検出手段が収容された筐体をさらに備え、筐体は、外面の一部が平面状に形成された部分に設けられる。
【００１６】
好ましくは、帯状部材の外面に設けられた、印加手段および検出手段を収容するための筐体と、算出された内臓脂肪量を表示するための表示手段とをさらに備え、表示手段は、筐体に設けられる。
【００１７】
好ましくは、帯状部材は、装着された際に、腹部の形状を矯正するための矯正部材と、矯正部材を被験者の腹部に固定するためのカバー体とを含む。
【００１８】
好ましくは、第３電極は、整列方向において第２電極を挟む位置にそれぞれ配置される。
【００１９】
好ましくは、所定の１対の電極は、第２電極である。
あるいは、好ましくは、所定の１対の電極は、腹部電極群のうちの、第２電極からなる対以外の対の電極である。第３電極は、整列方向において第２電極を挟む位置にそれぞれ配置され、所定の１対の電極は、第３電極であることが好ましい。
【００２０】
好ましくは、第１の電位差および第２の電位差のそれぞれに基づいて、２種類のインピーダンスを算出するためのインピーダンス算出手段をさらに備え、内臓脂肪量算出手段は、算出された２種類のインピーダンスと、被験者の体格情報とに基づいて、内臓脂肪量を算出する。
【００２１】
好ましくは、内臓脂肪量算出手段は、２種類のインピーダンスと内臓脂肪量との関係の所定の相関式によって、内臓脂肪量を算出する。
【００２２】
好ましくは、検出された第２の電位差と、被験者の体格情報とに基づいて、被験者の皮下脂肪量を算出するための皮下脂肪量算出手段をさらに備える。
【００２３】
「皮下脂肪量」とは、皮下脂肪に関する量をいい、たとえば、皮下脂肪重量、皮下脂肪面積および皮下脂肪体積のうち少なくとも１つを含む。
【００２４】
好ましくは、体格情報は、被験者の腹部周長、腹部横幅、腹部厚み、身長および体重のうち少なくとも１つを含む。
【００２５】
なお、「腹部周長」とは、腹部における横断面の外周の長さを表わし、好ましくは、中腹部（臍部付近）における横断面の外周の長さを表わす。ウエスト長ともいう。「腹部横幅」とは、腹部における左右の幅（長さ）を表わし、好ましくは、中腹部における左右の幅を表わす。「腹部厚み」とは、腹部における前後の厚み（長さ）を表わし、好ましくは、中腹部における前後の厚みを表わす。
【００２６】
好ましくは、第１の部位および第２の部位は、それぞれ、上肢および下肢を含む。
この発明の他の局面に従う測定ユニットは、内臓脂肪量を算出する演算ユニットに制御されて、被験者に電流を印加した状態で被験者の体表面に生じた電位差を測定するための測定ユニットであって、被験者の腹部より離れた１対の異なる部位であって、かつ、腹部を挟む位置にある第１の部位および第２の部位にそれぞれ配置するための少なくとも１対の第１電極と、腹部のうち一方の側腹部から臍部を経由して他方の側腹部に達するように、かつ、腹部の表面に沿うように、板状体を丸めた形状を有する帯状部材と、帯状部材の内面に配置される腹部電極群とを備え、腹部電極群は、１対の第２電極および１対の第３電極を含み、演算ユニットからの信号に基づき、第１電極および第３電極のいずれか１対を介して、被験者に電流を印加するための印加手段と、第１電極を介して電流を印加する第１の場合および第３電極を介して電流を印加する第２の場合のそれぞれにおいて、２種類の電位差を検出するための検出手段とをさらに備え、検出手段は、第１の場合に、腹部電極群のうちの所定の１対の電極間における第１の電位差を検出し、第２の場合には、第２電極間における第２の電位差を検出し、検出された第１の電位差および第２の電位差の情報を、演算ユニットに送信するための送信手段をさらに備える。
【発明の効果】
【００２７】
本発明によると、帯状部材の内面に配置された電極間の２種類の電位差に基づいて、内臓脂肪量が算出される。これにより、正確な内臓脂肪量を測定することができる。
【００２８】
または、帯状部材が、一方の側腹部から臍部を経由して他方の側腹部に達するように、かつ、腹部の表面に沿うように、板状体を丸めた形状を有しているため、被験者の腹部の形状の影響を除去することが可能となる。
【発明を実施するための最良の形態】
【００２９】
本発明の実施の形態について図面を参照しながら詳細に説明する。なお、図中同一または相当部分には同一符号を付してその説明は繰返さない。
【００３０】
［実施の形態１］
＜体脂肪測定装置の構成および外観＞
（構成について）
図１は、本発明の実施の形態１における体脂肪測定装置１００の構成を示すブロック図である。
【００３１】
体脂肪測定装置１００は、測定ユニット１と演算ユニット２とを備える。測定ユニット１は、電極部１０および測定処理装置１１を含む。測定ユニット１は、演算ユニット２に制御されて、被験者に電流を印加した状態で、被験者の体表面に生じた電位差を測定するための装置である。
【００３２】
電極部１０は、腹部電極部１０．１および四肢電極部１０．２を有する。四肢電極部１０．２は、被験者の上肢に配置するための電極Ｈ１，Ｈ２と、被験者の下肢に配置するための電極Ｆ１，Ｆ２とを含む。なお、ここでは、２対の電極Ｈ１，Ｈ２，Ｆ１，Ｆ２が含まれるものとして説明するが、少なくとも１対の電極が含まれればよい。したがって、上肢に配置される電極Ｈ１および電極Ｈ２のうちの１つと、下肢に配置される電極Ｆ１および電極Ｆ２のうちの１つとからなる１対が含まれていればよい。また、ここでは、上肢と下肢とにそれぞれ少なくとも１つの電極が配置されるものとして説明するが、必ずしも上肢と下肢との対に限定されるものではなく、被験者の腹部より離れた１対の異なる部位であって、かつ、腹部を挟む位置にある部位であればよい。
【００３３】
腹部電極部１０．１は、４つの腹部電極列Ｅ１，Ｅ２，Ｅ３，Ｅ４を含む。腹部電極列Ｅ１は、４個の電極Ａ１，Ｂ１，Ｃ１，Ｄ１を有し、腹部電極列Ｅ２は、４個の電極Ａ２，Ｂ２，Ｃ２，Ｄ２を有する。腹部電極列Ｅ３は、４個の電極Ａ３，Ｂ３，Ｃ３，Ｄ３を有し、腹部電極列Ｅ４は、４個の電極Ａ４，Ｂ４，Ｃ４，Ｄ４を有する。なお、ここでは、腹部電極部１０．１は、４つの腹部電極列Ｅ１，Ｅ２，Ｅ３，Ｅ４を含むものとするが、少なくとも１つの腹部電極列を含んでいればよい。
【００３４】
本実施の形態において、測定ユニット１は、腹部のうち一方の側腹部から臍部を経由して他方の側腹部に達するように、かつ、腹部の表面に沿うように配置する（巻き付ける）ための帯状部材１９をさらに含み、腹部電極部１０．１は、帯状部材１９に予め固定される。なお、帯状部材１９の具体的な構成例および各腹部電極列の具体的な配置例については、後に詳述する。
【００３５】
測定処理装置１１は、高周波の定電流（たとえば、５０ｋＨｚ，５００μＡ）を発生するための定電流発生部１２と、通電されている１対の電極間における電位差を検出するための電圧検出部１３と、電極部１０に含まれる複数の電極の中から電流用電極および電圧用電極を選択するための端子切替部１４と、演算ユニット２との間で通信を行なうためのＩ／Ｆ１５とを含む。
【００３６】
端子切替部１４は、定電流発生部１２および電圧検出部１３と接続され、かつ、電極部１０に含まれる各電極と接続される。端子切替部１４は、演算ユニット２により制御され、電極部１０に含まれる電極のうち少なくとも１対の電流用電極を切替えて選択する。これにより、定電流発生部１２で発生された定電流が、選択された電極を介して被験者に印加される。また、端子切替部１４は、演算ユニット２により制御され、電極部１０に含まれる電極のうち１対の電圧用電極を切替えて選択する。これにより、電圧検出部１３は、選択された電極ごとの電位差を検出することができる。検出された電位差の情報は、Ｉ／Ｆ１５を介して、演算ユニット２に与えられる。端子切替部１４は、たとえば、複数のスイッチにより構成される。
【００３７】
ここでは、定電流発生部１２および端子切替部１４によって、２対の電極Ｈ１，Ｈ２，Ｆ１，Ｆ２、１対の電極Ａ１，Ｄ１、１対の電極Ａ２，Ｄ２、１対の電極Ａ３，Ｄ３、および、１対の電極Ａ４，Ｄ４のいずれかを介して、被験者に電流が印加される。また、電圧検出部１３および端子切替部１４によって、１対の電極Ｂ１，Ｃ１間、１対の電極Ｂ２，Ｃ２間、１対の電極Ｂ３，Ｃ３間、および、１対の電極Ｂ４，Ｃ４間の電位差がそれぞれ検出される。
【００３８】
なお、本実施の形態において、端子切替部１４は、定電流発生部１２および電圧検出部１３の両方と接続され、電流用電極および電圧用電極の両方を選択するものとしたが、このような構成に限定されるものではない。たとえば、端子切替部１４に代えて、定電流発生部１２と接続され、電流用電極のみを選択する第１の切替部と、電圧検出部１３と接続され、電圧用電極のみを選択する第２の切替部とを設けることとしてもよい。
【００３９】
また、本実施の形態においては、端子切替部１４を介して、電流用電極および電圧用電極を選択することとしたが、端子切替部１４を設けない構成としてもよい。この場合、たとえば、電流用電極として機能する対の電極ごとに電流発生器を設けて、演算ユニット２により各電流発生器が制御されてもよい。これにより、端子切替部１４を介すことなく、順次、電流用電極を切替えることができる。また、同様に、電圧用電極として機能する対の電極ごとに電圧検出器を設けて、演算ユニット２により各電圧検出器が制御されてもよい。これにより、端子切替部１４を介すことなく、順次、電圧用電極を切替えることができる。
【００４０】
演算ユニット２は、体脂肪測定装置１００の全体的な制御を行なう制御部２０と、測定結果などを表示するための表示部２１と、後述する被験者情報などを入力するための入力部２２と、記録媒体２３ｂに記録されたデータの読出および書込が可能な駆動装置２３ａと、測定処理装置１１との間で通信を行なうためのＩ／Ｆ２５とを備える。
【００４１】
ここで、「被験者情報」とは、少なくとも体格情報を含む、被験者の身体に関する情報であり、たとえば、ウエスト長（腹部周長）、腹部横幅、腹部厚み、身長、体重、年齢、性別などの情報のうち、少なくとも１つを含む。本実施の形態において、体格情報は、ウエスト長に相当する情報であるものとして説明する。
【００４２】
なお、体格情報は、ウエスト長に限定されるものではなく、腹部に関連する他の情報（たとえば、腹部横幅、腹部厚み）や、全身に関連する情報（たとえば、身長、体重）などであってもよい。また、体格情報は、１つの情報に限定されるものではなく、２以上の情報を含んでいてもよい。
【００４３】
制御部２０は、各種演算を行なうための演算処理部２６と、プログラムおよびデータを記憶するための記憶部２７とを含む。なお、記録媒体２３ｂに記録された体脂肪測定プログラムが、駆動装置２３ａにより読み出されて、以下に説明するような体脂肪測定処理が実行されてもよい。
【００４４】
表示部２１は、たとえば液晶等により構成される。入力部２２は、たとえば、ユーザが押下可能な複数のキーにより構成される。
【００４５】
なお、演算ユニット２は、一般的なＰＣ（Personal Computer）であってよい。したがって、演算ユニット２の基本的な動作については、説明を省略する。
【００４６】
次に、演算処理部２６の機能構成を、図２に示す。
図２を参照して、本実施の形態において、演算処理部２６は、被験者の２種類のインピーダンスを算出するためのインピーダンス算出部２６１、および、被験者の体脂肪を算出するための体脂肪算出部２６２を含む。本実施の形態において、体脂肪は、少なくとも内臓脂肪量を含み、好ましくは、内臓脂肪量に加え、皮下脂肪量および体脂肪量を含む。「体脂肪量」とは、体脂肪に関する量をいい、たとえば、体脂肪重量、体脂肪体積および体脂肪率のうちの少なくとも１つを含む。なお、体脂肪量は、内臓脂肪量および皮下脂肪量を含んでいるものとする。
【００４７】
インピーダンス算出部２６１は、定電流発生部１２により発生される電流値と、測定処理装置１１よりＩ／Ｆ２５を介して得られる２種類の電位差とに基づいて、２種類のインピーダンスを算出する。２種類のインピーダンスのうちの１つは、被験者の腹部の横断面における全体の脂肪量（すなわち、内臓脂肪量と皮下脂肪量との和）を反映するインピーダンスである。もう１つは、被験者の腹部の横断面における皮下脂肪量を反映するインピーダンスである。以下の説明において、全体の脂肪量を反映するインピーダンスを「Ｚｔ」、皮下脂肪量を反映するインピーダンスを「Ｚｓ」と表わす。
【００４８】
体脂肪算出部２６２は、内臓脂肪量を算出するための内臓脂肪量算出部２６２Ａ、皮下脂肪量を算出するための皮下脂肪量算出部２６２Ｂ、および、体脂肪量を算出するための体脂肪量算出部２６２Ｃを有する。
【００４９】
内臓脂肪量算出部２６２Ａは、算出された２種類のインピーダンスＺｔ，Ｚｓと、被験者の体格情報（ウエスト長）とに基づいて、被験者の内臓脂肪量、たとえば内臓脂肪面積（単位：ｃｍ２）を算出する。具体的には、たとえば、２種類のインピーダンスＺｔ，Ｚｓおよび被験者のウエスト長と内臓脂肪量との関係を表わす以下のような式（１）によって、内臓脂肪面積Ｓｖが算出される。
【００５０】
Ｓｖ＝ａ＊Ｗ２−ｂ＊（１／Ｚｔ）−ｃ＊Ｗ＊Ｚｓ−ｄ      …（１）
（ただし、ａ，ｂ，ｃ，ｄ：係数、Ｗ：ウエスト長）。
【００５１】
皮下脂肪量算出部２６２Ｂは、算出されたインピーダンスＺｓと、被験者の体格情報（ウエスト長）とに基づいて、被験者の皮下脂肪量、たとえば皮下脂肪面積（単位：ｃｍ２）を算出する。具体的には、たとえば、インピーダンスＺｓおよび被験者のウエスト長と皮下脂肪量との関係を表わす以下のような式（２）によって、皮下脂肪面積Ｓｓが算出される。
【００５２】
Ｓｓ＝ｅ＊Ｗ＊Ｚｓ＋ｆ          …（２）
（ただし、ｅ，ｆ：係数、Ｗ：ウエスト長）。
【００５３】
体脂肪量算出部２６２Ｃは、算出されたインピーダンスＺｔと、被験者情報に含まれる少なくとも１つの情報（たとえば体重）とに基づいて、被験者の体脂肪量、たとえば体脂肪率（％）を算出する。具体的には、たとえば、体脂肪率は、除脂肪量ＦＦＭと被験者の体重とに基づいて、以下のような式（３）により算出される。
【００５４】
体脂肪率＝（Ｗｔ−ＦＦＭ）／Ｗｔ＊１００          …（３）
（ただし、Ｗｔ：体重）。
【００５５】
除脂肪量ＦＦＭ（単位：ｋｇ）は、インピーダンスＺｔおよび被験者情報に含まれる１つの情報（たとえば身長）と除脂肪量との関係を表わす以下のような式（４）によって、算出される。
【００５６】
ＦＦＭ＝ｉ＊Ｈ２／Ｚｔ＋ｊ          …（４）
（ただし、ｉ，ｊ：係数、Ｈ：身長）。
【００５７】
上記のような相関式（１），（２），（４）は、たとえばＭＲＩなどで測定されたリファレンスとの相関により定められるものとする。また、このような相関式は、年齢および／または性別ごとに予め定められてもよい。
【００５８】
（外観について）
図３は、本発明の実施の形態１における体脂肪測定装置１００の外観を示す図である。
【００５９】
図３（Ａ）は、体脂肪測定装置１００の外観を示す第１の図であり、図３（Ｂ）は、体脂肪測定装置１００の外観を示す第２の図である。なお、これらの図において、電極部１０の図示は省略されているものとする。
【００６０】
図３（Ａ）に示すように、測定処理装置１１と演算ユニット２とは、たとえば、配線４を介した有線での通信を行なう。測定処理装置１１は、帯状部材１９の外面（被験者の腹部と接触する面に対向する面）上に設置される。帯状部材１９の内面には、腹部電極部１０．１（図示せず）が配置されている。
【００６１】
このように、帯状部材１９上に設置される測定処理装置１１と、演算ユニット２とを別体とすることにより、測定処理装置１１を小型にすることができる。
【００６２】
また、図３（Ｂ）に示すように、測定処理装置１１と演算ユニット２とは、通信装置２９を介して無線で通信されてもよい。これにより、測定が簡便に行なえるようになる。この場合、通信装置２９と演算ユニット２とは、Ｉ／Ｆ２５を介して接続されているものとする。また、この場合、測定処理装置１１は、Ｉ／Ｆ１５と接続され、検出された電位差の情報を通信装置２９に送信したり、通信装置２９からの制御信号を受信したりするため
の通信装置（図示せず）を内蔵していてもよい。
【００６３】
図４（Ａ）は、体脂肪測定装置１００を用いて、被験者の体脂肪が測定される様子を示す図である。また、図４（Ｂ）は、肥満度の高い被験者が帯状部材１９を装着した状態を示す図である。これらの図において、被験者３００は、正面方向を向いているものとする。被験者３００の測定姿勢は、仰臥位であってもよいし、立位であってもよい。
【００６４】
図４（Ａ）を参照して、電極Ｈ１は、被験者３００の右腕３０１に配置される。電極Ｈ２は、被験者３００の左腕３０２に配置される。電極Ｆ１は、被験者３００の右脚３０４に配置される。電極Ｆ２は、被験者３００の左脚３０５に配置される。帯状部材１９は、被験者３００の腹部３０３の全周囲を覆うように巻き付けられる。
【００６５】
帯状部材１９は、後に詳述するように、腹部の形状を矯正する機能を有している。したがって、図４（Ｂ）に示されるように、帯状部材１９が被験者３００の腹部３０３の表面にある程度食い込むように装着されて、測定されることが望ましい。
【００６６】
なお、上肢および下肢に配置される電極Ｈ１，Ｈ２，Ｆ１，Ｆ２は、各部の表面に貼り付けるタイプのものであってもよいし、クリップ状のものであってもよい。
【００６７】
（帯状部材１９の具体的構成について）
図５は、図３（Ａ）に示すＶ−Ｖ線に沿った帯状部材１９の概略断面図である。なお、Ｖ−Ｖ線は、電極Ｂ１，Ｂ２，Ｂ３，Ｂ４を通る線であると想定する。
【００６８】
図５を参照して、帯状部材１９は、被験者の腹部の形状を矯正するための矯正部材１７０と、矯正部材１７０を被験者の腹部に固定するためのカバー体１４０とによって主に構成されている。これらカバー体１４０および矯正部材１７０は、それぞれ、帯状部材１９の巻き付け方向を長手方向として延在している。
【００６９】
カバー体１４０は、内側カバー１４１と外側カバー１４２とを重ね合わせてその周縁を結合することによって袋状に形成されている。カバー体１４０は、矯正部材１７０よりも十分に剛性が低く、かつ、伸縮性に乏しい部材、たとえばナイロン（登録商標）などの合成繊維により形成されている。
【００７０】
矯正部材１７０は、被験者の一方の側腹部から臍部を経由して他方の側腹部に達するように、かつ、腹部の表面に沿うように配置可能とするために、略矩形の板状体を腹部の表面に沿うように丸めた形状を有している。すなわち、矯正部材１７０は、自身の形態を維持して腹部の表面に沿うように形成されており、可撓性の弾性部材、たとえば樹脂や金属などにより形成されている。本実施の形態における矯正部材１７０は、合成樹脂の一種であるポリプロピレンにより形成されているものとする。
【００７１】
カバー体１４０の長手方向の一方端の外面には、面ファスナ１７５が設けられており、カバー体１４０の長手方向の他方端の内面には、上記面ファスナ１７５と係合する面ファスナ１７６が貼り付けられている。このように面ファスナ１７５，１７６が設けられることにより、被験者の腹部に対し、帯状部材１９が安定的に固定される。なお、本実施の形態では、帯状部材１９を腹部に安定的に固定するために、カバー体の両端部に面ファスナ１７５，１７６を設けることとしたが、帯状部材１９を腹部に安定的に固定できるものであればこれらに限定されるものではない。
【００７２】
腹部電極部１０．１の各電極は、たとえば粘着材を介して内側カバー１４１に接着されている。内側カバー１４１および矯正部材１７０には、それぞれ、各電極が接着される位置に貫通孔が設けられ、各電極の裏面から延びる配線５０は、貫通孔を通って測定処理装置１１（における端子切替部１４）に繋げられる。なお、ここでは腹部電極部１０．１の各電極が内側カバー１４１に接着されるものとするが、矯正部材１７０に接着されるものであってもよい。この場合、内側カバー１４１には、各電極が接着される位置に開口部が設けられているものとする。また、配線５０のインピーダンスが均一になるように、個々の配線５０の長さおよび太さを調整するようにしてもよい。
【００７３】
このように、帯状部材１９がコルセット状に形成されることにより、帯状部材１９が被験者に装着された際、被験者の腹部の形状を一意に矯正することができる。
【００７４】
しかしながら、被験者の腹部の形状の変形にも限界があるため、帯状部材１９のサイズは、複数用意することが好ましい。本実施の形態では、たとえば、成人用のＭサイズの帯状部材１９およびＬサイズの帯状部材１９が用意される。Ｍサイズの帯状部材１９は、その厚み方向Ｄ１の長さ（縦幅）を略２０ｃｍ、横幅方向Ｄ２の長さ（横幅）を略２５ｃｍとすることができる。また、Ｌサイズの帯状部材１９は、その厚み方向Ｄ１の長さ（縦幅）を略３０ｃｍ、横幅方向Ｄ２の長さ（横幅）を略３５ｃｍとすることができる。
【００７５】
なお、測定処理装置１１は、帯状部材１９の外面上に設けられることとしたが、帯状部材１９に内蔵されてもよい。つまり、矯正部材１７０と外側カバー１４２との間に、測定処理装置１１が設置されてもよい。
【００７６】
（腹部電極部１０．１の配置例について）
図６は、帯状部材１９を平面状に伸ばした状態を示す展開図である。図６には、帯状部材１９の内面のうち、腹部電極部１０．１が配置される領域（以下「電極配置領域」という）の部分のみが示されているものとする。なお、電極配置領域は、被験者の臍部に接触される領域であることが望ましい。
【００７７】
腹部電極列Ｅ１は、帯状部材１９の長手方向（腹部への巻き付け方向）と略直交する方向に、直線状に配置される。また、電極Ａ１，Ｄ１は、電極Ｂ１，Ｃ１を挟む位置にそれぞれ配置される。同様に、他の３つの腹部電極列Ｅ２，Ｅ３，Ｅ４も、帯状部材１９の長手方向と略直交する方向に直線状に配置され、かつ、電極Ａ２（Ａ３，Ａ４），Ｄ２（Ｄ３，Ｄ４）は、電極Ｂ２（Ｂ３，Ｂ４），Ｃ２（Ｃ３，Ｃ４）を挟む位置にそれぞれ配置される。
【００７８】
各電極Ａ（Ａ１，…，Ａ４），Ｂ（Ｂ１，…，Ｂ４），Ｃ（Ｃ１，…，Ｃ４），Ｄ（Ｄ１，…，Ｄ４）は、被験者の腹部の表面に接する第１の面と、第１の面に対向する第２の面とを有する。これらの電極の第１の面は、たとえば２０ｍｍ四方の正方形の形状を有する。各列において、電極Ａと電極Ｂとの間、電極Ｂと電極Ｃとの間、および電極Ｃと電極Ｄとの間の距離は、各々たとえば１０ｍｍである。また、電極Ａの中心点と電極Ｄの中心点との間は、たとえば９０ｍｍである。また、電極Ａ１（Ｂ１，Ｃ１，Ｄ１）の中心点と電極Ａ２（Ｂ２，Ｃ２，Ｄ２）の中心点との間の距離は、たとえば５０ｍｍである。同様に、電極Ａ３（Ｂ３，Ｃ３，Ｄ３）の中心点と電極Ａ４（Ｂ４，Ｃ４，Ｄ４）の中心点との間の距離は、たとえば５０ｍｍである。電極Ａ２（Ｂ２，Ｃ２，Ｄ２）の中心点と電極Ａ３（Ｂ３，Ｃ３，Ｄ３）の中心点との間の距離は、たとえば１００ｍｍである。
【００７９】
帯状部材１９の短辺の長さは、たとえば１３０ｍｍである。
上述のような位置関係で、帯状部材１９に各電極を配置させておくことにより、帯状部材１９を被験者の腹部に装着するだけで、各電極が、被験者の腹部の表面上の定められた位置に配置されることになる。つまり、腹部電極列Ｅに含まれる４個の電極Ａ，…，Ｄは、被験者の腹部の横断面に対し略垂直の方向（以下「縦方向」という）を整列方向として、腹部の表面に配置されることになる。
【００８０】
また、帯状部材１９に各電極を配置させておくことにより、ユーザ（医師や被験者など）は、簡便に各電極を被験者の腹部の所定の位置に配置することができる。また、電極間の直線距離だけでなく、電極間の空間的な位置関係も固定されることにより、測定の精度を向上させることができる。
【００８１】
このようなことから、上記相関式（１），（２），（４）は、被験者の腹部の形状を矯正した状態で、すなわち電極間の直線距離および空間的な位置関係を固定した状態でとられたリファレンスであることが好ましい。これにより、被験者ごとの腹部の形状の違いによる測定値の誤差を低減することができる。
【００８２】
なお、図６に示した帯状部材１９のサイズおよび具体的な電極間の距離の値は一例であり、このような値に限定されるものではない。たとえば、腹部電極列Ｅにおける電極間の距離を全て１０ｍｍとしたが、このように均等でなくてもよい。また、各電極の形状は、四角形に限定されるものではなく、たとえば円形などであってもよい。
【００８３】
＜体脂肪測定装置の動作＞
図７は、本発明の実施の形態１における体脂肪測定処理を示すフローチャートである。図７のフローチャートに示す処理は、予めプログラムとして記憶部２７に格納されており、演算処理部２６がこのプログラムを読み出して実行することにより、体脂肪測定処理の機能が実現される。
【００８４】
図７を参照して、演算処理部２６は、体格情報（ウエスト長）を含む被験者情報の入力を受付ける（ステップＳ２）。ここで受け付けた被験者情報は、たとえば記憶部２７に一時的に記録される。
【００８５】
次に、測定開始の指示があったか否かを判断する（ステップＳ４）。演算処理部２６は、測定開始の指示があるまで待機する（ステップＳ４においてＮＯ）。測定開始の指示を検知した場合（ステップＳ４においてＹＥＳ）、演算処理部２６は、電極の設定を行なう（ステップＳ８）。より具体的には、端子切替部１４を制御して、２対の電極Ｈ１，Ｈ２，Ｆ１，Ｆ２を電流用電極として、定電流発生部１２と接続させる。また、端子切替部１４を制御して、電極Ｂ１，Ｃ１の対を、電圧用電極として、電圧検出部１３と接続させる。
【００８６】
続いて、演算処理部２６は、定電流発生部１２を制御して、電極Ｈ１および電極Ｈ２から、電極Ｆ１および電極Ｆ２に定電流を印加させる（ステップＳ１０）。その状態において、演算処理部２６は、電圧検出部１３に、電極Ｂ１および電極Ｃ１間、電極Ｂ２および電極Ｃ２間、電極Ｂ３および電極Ｃ３間、ならびに、電極Ｂ４および電極Ｃ４間の電位差をそれぞれ検出させる（ステップＳ１２）。ステップＳ１２において、電圧用電極が、電極Ｂ２，Ｃ２の対、電極Ｂ３，Ｃ３の対、および電極Ｂ４，Ｃ４の対に、順次切替えられているものとする。
【００８７】
なお、ステップＳ１０において、上肢から下肢の方向に電流を流す際に、電極Ｈ１と電極Ｈ２とを短絡し、電極Ｆ１と電極Ｆ２とを短絡させることが好ましい。また、ステップＳ１０において、たとえば、電極Ｈ１，Ｈ２のうちの１つから電極Ｆ１，Ｈ２のうちの１つに対し電流が印加されてもかまわない。
【００８８】
インピーダンス算出部２６１は、ステップＳ１２で検出されたそれぞれの電位差に基づき、インピーダンスＺｔ１，Ｚｔ２，Ｚｔ３，Ｚｔ４を算出する（ステップＳ１４）。ここで算出されたインピーダンスＺｔ１，…，Ｚｔ４の値は、たとえば記憶部２７に一時的に記録される。
【００８９】
次に、演算処理部２６は、電極の切替を行なう（ステップＳ１６）。より具体的には、端子切替部１４を制御して、電流用電極を、電極Ｈ１、Ｈ２、Ｆ１、Ｆ２から、電極Ａ１，Ｄ１に切替える。これにより、端子切替部１４において、電極Ｈ１、Ｈ２、Ｆ１、Ｆ２と定電流発生部１２との接続が切断され、電極Ａ１および電極Ｄ１と定電流発生部１２とが接続される。また、演算処理部２６は、端子切替部１４を制御して、電圧用電極を、電極Ｂ４，Ｃ４から、電極Ｂ１，Ｃ１に切替える。これにより、端子切替部１４において、電極Ｂ４，Ｃ４と、電圧検出部１３との接続が切断され、電極Ｂ１，Ｃ１が、電圧検出部１３と接続される。
【００９０】
続いて、演算処理部２６は、定電流発生部１２に、電極Ａ１と電極Ｄ１との間に電流を印加させる（ステップＳ１８）。その状態において、演算処理部２６は、電圧検出部１３に、電極Ｂ１と電極Ｃ１との間の電位差を検出させる（ステップＳ２０）。インピーダンス算出部２６１は、ステップＳ２０で検出した電位差に基づき、インピーダンスＺｓ１を算出する（ステップＳ２２）。ここで算出されたインピーダンスＺｓ１の値は、たとえば記憶部２７に一時的に記録される。
【００９１】
次に、演算処理部２６は、電極の切替を行なう（ステップＳ２４）。より具体的には、端子切替部１４を制御して、電流用電極を、電極Ａ１，Ｄ１から電極Ａ２，Ｄ２に切替える。これにより、端子切替部１４において、電極Ａ１，Ｄ１と定電流発生部１２との接続が切断され、電極Ａ２および電極Ｄ２と定電流発生部１２とが接続される。また、演算処理部２６は、端子切替部１４を制御して、電圧用電極を、電極Ｂ１，Ｃ１から、電極Ｂ２，Ｃ２に切替える。これにより、端子切替部１４において、電極Ｂ１，Ｃ１と電圧検出部１３との接続が切断され、電極Ｂ２，Ｃ２が電圧検出部１３と接続される。
【００９２】
続いて、演算処理部２６は、定電流発生部１２に、電極Ａ２と電極Ｄ２との間に電流を印加させる（ステップＳ２６）。その状態において、演算処理部２６は、電圧検出部１３に、電極Ｂ２と電極Ｃ２との間の電位差を検出させる（ステップＳ２８）。インピーダンス算出部２６１は、ステップＳ２８で検出された電位差に基づいて、インピーダンスＺｓ２を算出する（ステップＳ３０）。ここで算出されたインピーダンスＺｓ２の値は、たとえば記憶部２７に一時的に記録される。
【００９３】
次に、演算処理部２６は、電極の切替を行なう（ステップＳ３２）。より具体的には、端子切替部１４を制御して、電流用電極を、電極Ａ２，Ｄ２から電極Ａ３，Ｄ３に切替える。これにより、端子切替部１４において、電極Ａ２，Ｄ２と定電流発生部１２との接続が切断され、電極Ａ３および電極Ｄ３と定電流発生部１２とが接続される。また、演算処理部２６は、端子切替部１４を制御して、電圧用電極を、電極Ｂ２，Ｃ２から、電極Ｂ３，Ｃ３に切替える。これにより、端子切替部１４において、電極Ｂ２，Ｃ２と電圧検出部１３との接続が切断され、電極Ｂ３，Ｃ３が電圧検出部１３と接続される。
【００９４】
続いて、演算処理部２６は、定電流発生部１２に、電極Ａ３と電極Ｄ３との間に電流を印加させる（ステップＳ３４）。その状態において、演算処理部２６は、電圧検出部１３に、電極Ｂ３と電極Ｃ３との間の電位差を検出する（ステップＳ３６）。インピーダンス算出部２６１は、ステップＳ３６で検出された電位差に基づいて、インピーダンスＺｓ３を算出する（ステップＳ３８）。ここで算出されたインピーダンスＺｓ３の値は、たとえば記憶部２７に一時的に記録される。
【００９５】
次に、演算処理部２６は、電極の切替を行なう（ステップＳ４０）。より具体的には、端子切替部１４を制御して、電流用電極を、電極Ａ３，Ｄ３から電極Ａ４，Ｄ４に切替える。これにより、端子切替部１４において、電極Ａ３，Ｄ３と定電流発生部１２との接続が切断され、電極Ａ４および電極Ｄ４と定電流発生部１２とが接続される。また、演算処理部２６は、端子切替部１４を制御して、電圧用電極を、電極Ｂ３，Ｃ３から、電極Ｂ４，Ｃ４に切替える。これにより、端子切替部１４において、電極Ｂ３，Ｃ３と電圧検出部１３との接続が切断され、電極Ｂ４，Ｃ４が電圧検出部１３と接続される。
【００９６】
続いて、演算処理部２６は、定電流発生部１２に、電極Ａ４と電極Ｄ４との間に電流を印加させる（ステップＳ４２）。その状態において、演算処理部２６は、電圧検出部１３に、電極Ｂ４と電極Ｃ４との間の電位差を検出させる（ステップＳ４４）。インピーダンス算出部２６１は、ステップＳ４４で検出された電位差に基づいて、インピーダンスＺｓ４を算出する（ステップＳ４６）。ここで算出されたインピーダンスＺｓ４の値は、たとえば記憶部２７に一時的に記録される。
【００９７】
次に、内臓脂肪量算出部２６２Ａは、ステップＳ２で入力された体格情報（ウエスト長）と、インピーダンスＺｔ１，…，Ｚｔ４と、インピーダンスＺｓ１，…，Ｚｓ４とから内臓脂肪面積Ｓｖを算出する（ステップＳ４８）。内臓脂肪面積Ｓｖは、上述の式（１）により算出される。なお、本実施の形態のように、４つの腹部電極列Ｅ１，Ｅ２，Ｅ３，Ｅ４が設けられる場合には、４つのインピーダンスＺｔ１，…，Ｚｔ４の平均値が、相関式（１）におけるインピーダンスＺｔに代入され、４つのインピーダンスＺｓ１，…，Ｚｓ４の平均値が、相関式（１）におけるインピーダンスＺｓに代入されることとしてもよい。
【００９８】
同時に、皮下脂肪量算出部２６２Ｂは、ステップＳ２で入力された体格情報（ウエスト長）と、インピーダンスＺｓ１，…，Ｚｓ４とから皮下脂肪面積Ｓｓを算出する（ステップＳ５０）。皮下脂肪面積Ｓｓは、上述の式（２）により算出される。なお、この場合にも、４つのインピーダンスＺｓ１，…，Ｚｓ４の平均値が、相関式（２）におけるインピーダンスＺｓに代入されることとしてもよい。
【００９９】
さらに、体脂肪量算出部２６２Ｃは、ステップＳ２で入力された被験者情報（身長、体重）とインピーダンスＺｔ１，…，Ｚｔ４とに基づいて、体脂肪率を算出する（ステップＳ５２）。体脂肪率は、上述の式（３）および（４）により算出される。なお、この場合にも、４つのインピーダンスＺｔ１，…，Ｚｔ４の平均値が、相関式（４）におけるインピーダンスＺｔに代入されることとしてもよい。
【０１００】
最後に、演算処理部２６は、測定結果を表示部２１に表示する（ステップＳ５４）。
以上で本発明の実施の形態１における体脂肪測定処理を終了する。
【０１０１】
なお、インピーダンスＺｔ１，…，Ｚｔ４の典型的な値は、それぞれ約５Ω程度である。また、インピーダンスＺｓ１，…，Ｚｓ４の典型的な値は、それぞれ約８０Ω程度となる。
【０１０２】
上記のように、複数の腹部電極列Ｅ１，Ｅ２，Ｅ３，Ｅ４を設けて、複数の電位差を平均処理することで、脂肪の分布や脂肪の厚みの影響を除去することができる。
【０１０３】
なお、上記フローチャートでは、電位差が検出されるごとに、インピーダンスを算出することとしたが、全ての電位差が検出されてから、一括して算出するものであってもよい。また、電極の設定・切替および電位差の検出の順序は、上述の順序に限定されるものではない。つまり、ステップＳ８〜Ｓ１４、ステップＳ１６〜Ｓ２２、ステップＳ２４〜Ｓ３０、ステップＳ３２〜Ｓ３８、および、ステップＳ４０〜Ｓ４６の順序は、どのような順序であってもよい。
【０１０４】
また、体脂肪算出の際に、インピーダンスＺｔ１，…，Ｚｔ４、インピーダンスＺｓ１，…，Ｚｓ４をそれぞれ平均処理することとしたが、このような方法に限定されるものではない。四肢より電流を流すことで検出された複数の電位差の平均値に基づいて、インピーダンスＺｔを算出し、腹部より電流を流すことで検出された複数の電位差の平均値に基づいて、インピーダンスＺｓを算出しておいてもよい。
【０１０５】
また、ここでは、インピーダンスＺｔ１，…，Ｚｔ４、インピーダンスＺｓ１，…，Ｚｓ４は、それぞれ平均処理されて内臓脂肪量や皮下脂肪量の算出に用いられたが、平均処理以外の処理が施されてもよい。たとえば、インピーダンスごとに相関式を設けて、内臓脂肪量や皮下脂肪量が算出されてもよい。
【０１０６】
また、本実施の形態では、被験者の体脂肪として、内臓脂肪量（内臓脂肪面積）、皮下脂肪量（皮下脂肪面積）および体脂肪量（体脂肪率）が算出されたが、少なくとも内臓脂肪量が算出されるものであればよい。この場合、ステップＳ２において、体格情報（ウエスト長）のみが入力されてもよい。
【０１０７】
（表示例について）
図８は、図７のステップＳ５４における、測定結果の表示例を示す図である。図８を参照して、表示部２１には、それぞれ所定の領域に、「内臓脂肪面積  １１０ｃｍ2」、「皮下脂肪面積  ９０ｃｍ2」、および「体脂肪率  ３０％」と表示され、算出された各値が数値として表示される。これにより、被験者および／または医師は、被験者の内臓脂肪面積、皮下脂肪面積および体脂肪率の具体的な数値を把握することができる。また、これらが同時に表示されることにより、被験者の脂肪のバランスを、さらに把握することができる。
【０１０８】
なお、図８のような表示例に限定されるものではなく、以下のように、測定結果が表示されるものであってもよい。
【０１０９】
図９（Ａ）は、内臓脂肪面積のみが表示された例を示す図であり、図９（Ｂ）は、内臓脂肪面積および皮下脂肪面積が表示された例を示す図である。
【０１１０】
また、測定結果に加え、被験者情報がさらに表示されてもよい。
図１０（Ａ）は、測定結果に加え、被験者情報がさらに表示された例を示す第１の図である。ここでは、被験者情報として、たとえば、体格情報であるウエスト長の他、患者ＩＤ、年齢、性別、身長および体重の情報が表示されている。また、測定結果としては、内臓脂肪面積、皮下脂肪面積および体脂肪率が表示されている。
【０１１１】
図１０（Ｂ）は、測定結果に加え、被験者情報がさらに表示された例を示す第２の図である。ここでも、被験者情報として、たとえば、体格情報であるウエスト長の他、患者ＩＤ、年齢、性別、身長および体重の情報が表示されている。また、測定結果としては、内臓脂肪面積および皮下脂肪面積が表示されている。
【０１１２】
また、測定結果を表示する際に、内臓脂肪面積の基準値をさらに表示してもよい。「内臓脂肪面積の基準値」とは、日本肥満学会が内臓脂肪型肥満の判定基準とする値であり、具体的には、１００ｃｍ2に相当する。
【０１１３】
図１１は、内臓脂肪面積の基準値がさらに表示される例を示す図である。図１１を参照して、表示部２１には、図８と同様の測定結果が表示され、さらに、内臓脂肪面積の基準値（１００ｃｍ2）が、内臓脂肪面積の測定値（１１０ｃｍ2）と並べて表示されている。このように、内臓脂肪面積の測定値と併せてその基準値を表示することにより、被験者および／または医師は、生活習慣病につながるリスクが高いとされる内臓脂肪型肥満かどうかを、容易に把握することができる。また、図１１に示されるように、体脂肪率の測定値（３０％）と並べてその標準値（たとえば１０〜２０％）がさらに表示されてもよい。
【０１１４】
また、測定結果とともに、過去の測定値をグラフで表示することとしてもよい。図１２は、測定結果とともに、過去の測定値がグラフ表示される場合の一例を示す図である。図１２を参照して、表示部２１には、面積（単位：ｃｍ2）を縦軸に、時間を横軸にとった、測定値の軌跡（推移）を表わすグラフが表示される。また、この際、内臓脂肪面積の基準値（１００ｃｍ2）の位置を併せて表示してもよい。この図において、折れ線Ｌ１は、内臓脂肪面積の過去の測定値の軌跡を示しており、折れ線Ｌ２は皮下脂肪面積の過去の測定値の軌跡を示している。また、横軸と平行な直線Ｌ３は、内臓脂肪面積の基準値を示す基準線である。なお、ここでは、内臓脂肪面積および皮下脂肪面積についての情報が表示されることとしたが、内臓脂肪面積についての情報のみが表示されることとしてもよい。また、内臓脂肪面積に関する折れ線Ｌ１のグラフと、皮下脂肪面積に関する折れ線Ｌ２のグラフとが別々に表示されてもよい。
【０１１５】
以上説明した実施の形態１では、腹部電極列Ｅ（Ｅ１，Ｅ２，Ｅ３，Ｅ４）に含まれる電極Ａ，Ｂ，Ｃ，Ｄのうち、四肢から電流を流す場合と、腹部で電流を流す場合とのいずれも、内側に位置する電極Ｂ、Ｃの対を、電圧用電極として共通に用いたが、このように、いずれの場合も共通に用いるものでなくてもよい。たとえば、四肢から電流を流す場合には、電極Ｂ，Ｃの対以外の対を、電圧用電極として用いてもよい。たとえば、外側に位置する電極Ａ，Ｄの対を電圧用電極として用いてもよい。なお、電極Ａ，Ｂの対や、電極Ｂ，Ｄの対などであってもよい。
【０１１６】
また、本実施の形態では、４つの電極Ａ，Ｂ，Ｃ，Ｄのうち、外側に位置する電極Ａ，Ｄの対を電流用電極として機能させ、内側に位置する電極Ｂ，Ｃの対を電圧用電極として機能させることとしたが、これらが逆であってもよい。すなわち、電極Ａ，Ｄの対を電圧用電極として機能させ、電極Ｂ，Ｃの対を電流用電極として機能させてもよい。
【０１１７】
また、腹部電極列Ｅには、４つの電極Ａ，Ｂ，Ｃ，Ｄが含まれることとしたが、同整列方向に配置される１対の電極がさらに含まれることとしてもよい。この場合、上記ステップＳ１８，Ｓ２６，Ｓ３４，Ｓ４２においては、たとえば、６個の電極のうち、最も外側に位置する１対の電極を介して電流を印加することとする。その状態において、内側に位置する２対の電極の電位差をそれぞれ検出する（ステップＳ２０，Ｓ２８，Ｓ３６，Ｓ４４）。また、四肢から電流を流す場合にも、各列において、たとえば、内側に位置する２対の電極の電位差をそれぞれ検出する。そして、各列において、検出された２つの電位差を平均処理することで、各々のインピーダンスを算出する。なお、検出された２つの電位差は、体脂肪算出の際に、平均処理されていればよい。
【０１１８】
また、本実施の形態では、検出された電位差よりインピーダンスを算出し、算出されたインピーダンスに基づいて内臓脂肪量等を算出することとしたが、検出された電位差より直接、内臓脂肪量等が算出されてもよい。すなわち、たとえば上記した相関式（１）は、２種類のインピーダンスＺｔ，Ｚｓを用いた式であったが、２種類の電位差を用いた式であってもよい。
【０１１９】
また、本実施の形態では、図５に示したように、矯正部材１７０（帯状部材１９）の長手方向における断面は、略Ｃ字型の形状を有していたが、このような形状に限定されるものではない。図１３は、帯状部材１９の断面の他の例を示す図である。
【０１２０】
図１３に示されるように、矯正部材１７０は、少なくとも内面が平面状に形成された部分（以下「平面部分」という）１９０を有していてもよい。平面部分１９０は、電極配置領域に設けられる。したがって、腹部電極部１０．１の臍部の表面への接触性をより向上させることができる。また、呼吸の際に発生する腹部の形状の変化の影響を、より十分に除去することもできる。また、これに伴ない、より安定的に電位差を検出することができ、測定精度を向上させることができる。
【０１２１】
なお、平面部分１９０は、電極配置領域全体に設けられるものでなくてもよく、電極配置領域の一部の、被験者の臍近辺に対応する電極が配置される領域にのみ設けられてもよい。本実施の形態においては、たとえば、腹部電極列Ｅ２，Ｅ３が配置される領域のみが平面状に形成されてもよい。臍近辺の腹部の形状（腹部の横断面と平行な方向への突出度合い）は、個人差が大きいが、このように少なくとも臍近辺に対応する面を平面状に形成することにより、腹部の表面への電極の接触を確実に行なうことができる。
【０１２２】
平面部分１９０は、その外面側も平面状に形成されていることが好ましい。そうすることにより、測定処理装置１１をより安定的に設置することが可能となる。
【０１２３】
なお、その他の形状および構成は、上記した帯状部材１９と同様であるので、ここでの説明は繰返さない。
【０１２４】
また、本実施の形態では、帯状部材１９が矯正部材１７０とカバー体１４０とにより構成されることとして説明したが、このような形態に限定されるものではない。たとえば、具体的には、帯状部材１９が、カバー体１４０を有することなく、腹部のうち一方の側腹部から臍部を経由して他方の側腹部に達するように、かつ、腹部の表面に沿うように形成されたものであってもよい。その材質としては、矯正部材１７０と同様にたとえばポリプロピレンなどの合成樹脂により形成されればよい。この場合、矯正部材１７０と同じ形状を有する弾性体である帯状部材１９が被験者の腹部に嵌め込まれて、体脂肪が測定される。
【０１２５】
また、本実施の形態では、カバー体１４０は、内側カバー１４１と外側カバー１４２とによって矯正部材１７０を包み込むような構成としたが、このような構成に限定されるものではない。たとえば、カバー体１４０は、一体的に形成された布などであってもよい。
【０１２６】
また、本実施の形態では、矯正部材１７０の形状は、腹部のうち一方の側腹部から臍部を経由して他方の側腹部に達するように形成されたものであった。しかしながら、腹部電極部１０．１を腹部の表面に密着させるためであれば、矯正部材１７０と同様の材質からなる部材に、腹部電極部１０．１が固定されていてもよい。このような部材は、少なくとも臍部に対応する電極配置領域を含むように、略平面状に形成されたものであればよい。この場合、測定の際には、カバー体１４０を腹部の全周囲にわたり強固に巻き付けることが望ましい。そうすることで、腹部電極部１０．１の腹部の表面への接触性を十分に保つことが可能となり、上述の帯状部材１９と同様の効果を奏することができる。
【０１２７】
［実施の形態２］
次に、本発明の実施の形態２に係る体脂肪測定装置について説明する。
【０１２８】
上記した実施の形態１に係る体脂肪測定装置１００では、測定処理装置１１と演算ユニット２とが別に設けられたが、実施の形態２に係る体脂肪測定装置は、測定処理装置１１と演算ユニット２とを一体的に備えるものである。以下に、実施の形態１との違いについて説明する。
【０１２９】
図１４は、本発明の実施の形態２に係る体脂肪測定装置２００の構成を示す図である。
図１４を参照して、体脂肪測定装置２００は、電極部１０および測定演算装置３を備える。測定演算装置３は、定電流発生部１２、電圧検出部１３、端子切替部１４、Ｉ／Ｆ１５’、制御部２０、表示部２１、入力部２２および駆動装置２３ａを含む。
【０１３０】
Ｉ／Ｆ１５’は、定電流発生部１２、電圧検出部１３、端子切替部１４および制御部２０と接続される。
【０１３１】
図１５は、本発明の実施の形態２に係る体脂肪測定装置２００における測定演算装置３の一例を示す概略図である。
【０１３２】
図１５を参照して、測定演算装置３の前面に、表示部２１および入力部２２が備えられる。入力部２２は、テンキー、決定キー、バックスペースキー、および、画面上のカーソルを上下左右に移動するためのカーソルキーなどを含む。また、入力部２２は、測定開始を指示するための測定開始キー３１、および、測定中止を指示するための測定中止キー３２をさらに含む。
【０１３３】
図１６は、体脂肪測定装置２００を用いて、被験者の体脂肪が測定される様子を示す図である。この図において、被験者３００は、正面方向を向いているものとする。被験者の測定姿勢は、仰臥位であってもよいし、立位であってもよい。
【０１３４】
測定演算装置３は、帯状部材１９の表面側と、測定演算装置３の背面（前面に対向する面）側とが接せられる。これにより、被験者３００の腹部３０３に帯状部材１９が装着された状態で、医師等が測定結果を確認することができる。
【０１３５】
図１７は、測定演算装置３に内蔵される２つの電池の配置例を示す図である。図１７に示されるように、２つの電池７１は、それぞれ、測定演算装置３の中心より左右または上下均等な位置にそれぞれ内蔵されることが望ましい。これにより、測定演算装置３本体の重量のバランスを良くすることができる。また、これにより、測定演算装置３の厚みを薄く（小型化）することも可能となる。ここでは、測定演算装置３の中心より左右均等な位置に表示部２１が設けられているため、電池７１が、表示部２１の左右両側の位置に内蔵された例が示される。なお、２つの電池７１に限定されるものではなく、１つまたは３つ以上の電池が、測定演算装置３のバランスを保てるように内蔵されればよい。
【０１３６】
なお、被験者３００が、測定結果を容易に確認可能とするために、測定演算装置３の形態を図１８に示すようなものとしてもよい。図１８は、本発明の実施の形態２に係る体脂肪測定装置２００における測定演算装置３の他の例を示す概略図である。図１８においては、その形態の違いにより、測定演算装置３Ａと記す。
【０１３７】
図１８を参照して、測定演算装置３Ａにおいて、表示部２１を含む第１の筐体３４と、たとえば端子切替部１４や入力部２２を含む第２の筐体３５との間に、ヒンジ３３が設けられる。ヒンジ３３の位置や形状は、特に限定されるものではない。被験者が、測定姿勢のままで測定結果を確認できるように、第１の筐体３４が傾けばよい。なお、この場合、被験者の脚部側に第１の筐体３４が、被験者の頭部側に第２の筐体３５が配置されることが好ましい。
【０１３８】
また、帯状部材１９は、ある程度の剛性を有しているため、測定演算装置３の前面（表示部２１および入力部２２が設けられる面）自体が、被験者の頭部側に向くように設置されてもよい。つまり、測定演算装置３の下面と帯状部材１９の表面とが接するように、測定演算装置３が帯状部材１９に設置されてもよい。
【０１３９】
また、本発明の体脂肪測定装置、あるいは、演算ユニットが行なう、体脂肪測定方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１４０】
提供されるプログラム製品は、ハードディスクなどのプログラム格納部にインストールされて実行される。なお、プログラム製品は、プログラム自体と、プログラムが記録された記録媒体とを含む。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４２】
【図１】本発明の実施の形態１における体脂肪測定装置の構成を示すブロック図である。
【図２】演算処理部の機能構成を示すブロック図である。
【図３】（Ａ）および（Ｂ）は、本発明の実施の形態１における体脂肪測定装置の外観を示す図である。
【図４】（Ａ）は、本発明の実施の形態１における体脂肪測定装置を用いて、被験者の体脂肪が測定される様子を示す図であり、（Ｂ）は、肥満度の高い被験者が帯状部材を装着した状態を示す図である。
【図５】図３（Ａ）に示すＶ−Ｖ線に沿った帯状部材の概略断面図である。
【図６】本発明の実施の形態１における帯状部材を平面状に伸ばした状態を示す展開図である。
【図７】本発明の実施の形態１における体脂肪測定処理を示すフローチャートである。
【図８】測定結果の表示例を示す図である。
【図９】（Ａ）は、内臓脂肪面積のみが表示された例を示す図であり、（Ｂ）は、内臓脂肪面積および皮下脂肪面積が表示された例を示す図である。
【図１０】（Ａ）および（Ｂ）は、測定結果に加え、被験者情報がさらに表示された例を示す第１および第２の図である。
【図１１】測定結果とともに、内臓脂肪面積の基準値がさらに表示される例を示す図である。
【図１２】測定結果とともに、過去の測定値がグラフ表示される場合の一例を示す図である。
【図１３】帯状部材の断面の他の例を示す図である。
【図１４】本発明の実施の形態２に係る体脂肪測定装置の構成を示す図である。
【図１５】本発明の実施の形態２に係る体脂肪測定装置における測定演算装置の一例を示す概略図である。
【図１６】本発明の実施の形態２に係る体脂肪測定装置を用いて、被験者の体脂肪が測定される様子を示す図である。
【図１７】測定演算装置に内蔵される２つの電池の配置例を示す図である。
【図１８】本発明の実施の形態２に係る体脂肪測定装置における測定演算装置の他の例を示す概略図である。
【符号の説明】
【０１４３】
１  測定ユニット、２  演算ユニット、３，３Ａ  測定演算装置、４，５０  配線、１０  電極部、１０．１  腹部電極部、１０．２  四肢電極部、１１  測定処理装置、１２  定電流発生部、１３  電圧検出部、１４  端子切替部、１９  帯状部材、２０  制御部、２１  表示部、２２  入力部、２３ｂ  記録媒体、２３ａ  駆動装置、２６  演算処理部、２７  記憶部、２９  通信装置、３１  測定開始キー、３２  測定中止キー、３３  ヒンジ、７１  電池、１００，２００  体脂肪測定装置、１４０  カバー体、１４１  内側カバー、１４２  外側カバー、１７０  矯正部材、１７５，１７６  面ファスナ、１９０  平面部分、２６１  インピーダンス算出部、２６２  体脂肪算出部、２６２Ａ  内臓脂肪量算出部、２６２Ｂ  皮下脂肪量算出部、２６２Ｃ  体脂肪量算出部、３００  被験者、３０１  右腕、３０２  左腕、３０３  腹部、３０４  右脚、３０５  左脚、Ａ１，Ｂ１，Ｃ１，Ｄ１，Ａ２，Ｂ２，Ｃ２，Ｄ２，Ａ３，Ｂ３，Ｃ３，Ｄ３，Ａ４，Ｂ４，Ｃ４，Ｄ４，Ｈ１，Ｈ２，Ｆ１，Ｆ２  電極、Ｅ１，Ｅ２，Ｅ３，Ｅ４  腹部電極列。
【図１】
2007130072.tif 000003
【図２】
2007130072.tif 000004
【図３】
2007130072.tif 000005
【図４】
2007130072.tif 000006
【図５】
2007130072.tif 000007
【図６】
2007130072.tif 000008
【図７】
2007130072.tif 000009
【図８】
2007130072.tif 000010
【図９】
2007130072.tif 000011
【図１０】
2007130072.tif 000012
【図１１】
2007130072.tif 000013
【図１２】
2007130072.tif 000014
【図１３】
2007130072.tif 000015
【図１４】
2007130072.tif 000016
【図１５】
2007130072.tif 000017
【図１６】
2007130072.tif 000018
【図１７】
2007130072.tif 000019
【図１８】
2007130072.tif 000020